(57)【特許請求の範囲】
【請求項１】
遊技機に対応して設けられ、有価価値を受け付け可能な各台装置であって、
遊技者に対して発行される一般用記録媒体または登録した遊技者に対して発行される会員用記録媒体を受け付ける記録媒体受付手段と、
所定の操作に基づいて、獲得遊技媒体数を複数の記録媒体に分割して関連付ける分割処理手段と、
前記分割処理手段によりそれぞれ獲得遊技媒体数が関連付けられた前記一般用記録媒体又は前記会員用記録媒体を排出する記録媒体排出処理手段と、
前記分割処理手段によって前記獲得遊技媒体数を関連付けた各記録媒体のうち、少なくとも一つの記録媒体の獲得遊技媒体数が所定の閾値に満たない場合に、前記分割処理手段の分割処理を制限する制限手段と
を備え、
前記制限手段は、分割処理の対象となる前記複数の記録媒体のうち、少なくとも一つが前記会員用記録媒体のとき、前記会員用記録媒体に関連付けられる獲得遊技媒体数が前記所定の閾値に満たない場合であっても、前記分割処理手段の分割処理の制限を行わない
ことを特徴とする各台装置。
【請求項２】
前記所定の操作と異なる他の操作に基づいて、複数の記録媒体に関連付けられている獲得遊技媒体数を合算して一つの記録媒体に関連付ける合算処理手段をさらに備えたことを特徴とする請求項１に記載の各台装置。
【請求項３】
携帯端末の識別子を読取る携帯端末識別子読取手段をさらに備えたことを特徴とする請求項１又は２に記載の各台装置。
【発明の詳細な説明】
【技術分野】
【０００１】
この発明は、遊技機に対応して設けられる各台装置に関する。
【背景技術】
【０００２】
従来、パチンコ店などの遊技店には、遊技媒体を貸し出す台間カード処理機が遊技機に併設される事が多い。遊技客は、この台間カード処理機に現金を投入することで、遊技媒体の貸し出しを受けることができるとともに、この台間カード処理機で貯遊技媒体の引出操作を行うことで、再プレイを行うことができる。
【０００３】
最近では、かかる台間カード処理機に対して遊技媒体数を計数する計数部を設け、この台間カード処理機の計数部で計数した遊技媒体数を持玉としてカードＩＤに対応づけて台間カード処理機並びにカード管理装置で管理するとともに、遊技客が台間カード処理機で持玉払出操作を行うことで、かかる持玉を所定数ずつ払い出す各台計数機付き台間カード処理機も普及しつつある（例えば、特許文献１参照）。
【０００４】
このように、かかる各台計数機付き台間カード処理機を用いることで、遊技客は、パチンコ玉等の遊技媒体の現物を持ち歩かなくとも、持玉、貯遊技媒体及びプリペイド価値が関連付けたカードを用いて遊技の継続並びに遊技機の台移動を行うことができる。
【先行技術文献】
【特許文献】
【０００５】
【特許文献１】特開２００７−２２９１１１号公報
【図面の簡単な説明】
【０００６】
【図１】図１は、本実施例１に係る台間カード処理機及び持玉分割方法の概念を説明するための説明図である。
【図２】図２は、本実施例１に係る遊技媒体処理システムのシステム構成を示す図である。
【図３】図３は、図１に示した台間カード処理機の外観構成を示す図である。
【図４】図４は、図３に示したカードユニット部の概略図である。
【図５】図５は、図１に示した台間カード処理機及びカード管理装置の内部構成を示す機能ブロック図である。
【図６】図６は、図５に示したカード情報の一例を示す図である。
【図７】図７は、図５に示した台間カード処理機及びカード管理装置によるカード挿入時の処理手順を示すフローチャートである。
【図８】図８は、図５に示した台間カード処理機による持玉分割処理時の処理手順を示すフローチャートである。
【図９】図９は、持玉分割操作の一例を説明するための説明図である。
【図１０】図１０は、本実施例２に係る台間カード処理機及びカード管理装置の内部構成を示す機能ブロック図である。
【図１１】図１１は、図１０に示した台間カード処理機及びカード管理装置による持玉合算処理時の処理手順を示すフローチャートである。
【発明を実施するための形態】
【０００７】
以下に、添付図面を参照して、本発明に係る各台装置の好適な実施例を詳細に説明する。なお、以下では、記録媒体がカードであり、このカードに関連付けられる持玉を分割対象とした場合を中心に説明することとする。
【実施例１】
【０００８】
まず、本実施例１に係る台間カード処理機及び持玉分割方法の概念について説明する。図１は、本実施例１に係る台間カード処理機及び持玉分割方法の概念を説明するための説明図である。図１に示す台間カード処理機１０は、遊技客自身の操作によって持玉を分割できる装置である。
【０００９】
例えば、遊技客が保有する持玉「１５００玉」のうちの「５００玉」を持玉分割処理して第三者に譲渡したい場合には、遊技客は持玉分割操作を行う。具体的には、図１（Ａ）に示すように、台間カード処理機１０に設けられた表示操作部１３に「５００」と入力し、遊技機２０に設けられたカード返却ボタン２１ａを押下操作する。
【００１０】
これにより、図１（Ｂ）に示すように、持玉「１０００玉」が関連付けられた分割元カードがカードユニット部１５から排出され、引き続いて同図（Ｃ）に示すように、持玉「５００玉」が関連付けられた分割先カードがカードユニット部１５から排出される。
【００１１】
このため、遊技客は、台間カード処理機１０のカードユニット部１５に分割元カードを挿入して遊技を継続するとともに、分割先カードを第三者に渡すことで持玉の一部を第三者に譲渡することができる。この分割先カードを受け取った第三者は、他の遊技機に併設された台間カード処理機１０のカードユニット部１５に分割先カードを挿入することで、持玉「５００玉」を保有した状態で遊技を行うことが可能となる。
【００１２】
表示操作部１３のテンキーは、各種入力操作（例えば、貯玉再プレイ時の暗証番号入力等）に用いられるが、持玉が有る状態で操作されると、分割玉数の入力手段として作用する。
【００１３】
また、この台間カード処理機１０は、表示操作部１３に入力される玉数が不適切であり、分割先カード又は分割元カードに関連付けられる持玉数が所定値（例えば、「１２５玉」）未満となる場合には、分割処理を行わないこととしている。関連付けられた持玉が極端に少ない場合は、生成された分割先カードが廃棄される可能性があるためである。ただし、遊技店に登録された会員に対して付与される会員カードが分割元カードであれば、分割先カード又は分割元カードに関連付けられる持玉数が所定値未満となる場合でも分割処理を行う。会員は、いたずらで分割先カードを生成する可能性は低いと考えられるからである。
【００１４】
さらに、この台間カード処理機１０は、分割処理終了後の時点から所定の期間（例えば「３０秒」）であれば、分割処理した２枚のカードを合算して元の状態に戻すことが可能である。分割操作を誤った場合や分割処理を行っている途中で状況が変化した場合に柔軟に対応できるようにするためである。この点に関しては、後述する実施例２において詳細に説明する。
【００１５】
次に、本実施例１に係る遊技媒体処理システムのシステム構成について説明する。図２は、本実施例１に係る遊技媒体処理システムのシステム構成を示す図である。同図に示すように、この遊技媒体処理システムでは、複数の遊技機２０と、各遊技機２０にそれぞれ対応して設けられた台間カード処理機１０と、カード管理装置４０と、会員管理装置５０と、複数の島端計数機６０と、精算機７０と、景品管理装置８０とが通信回線９０を介して接続されている。なお、複数の遊技機２０及び台間カード処理機１０は、島コントローラ３０を介して通信回線９０に接続されている。
【００１６】
遊技機２０は、パチンコ玉を遊技領域に打ち込んで遊技客がパチンコ遊技を行うパチンコ機等の装置である。台間カード処理機１０は、遊技機２０に対する玉貸し処理、遊技機２０で獲得したパチンコ玉の計数処理、計数したパチンコ玉を持玉として再投出する処理、貯玉の再プレイ処理などを行う装置である。
【００１７】
この台間カード処理機１０には、あらかじめ複数枚のカードが収納されており、遊技客が遊技を終えてカード返却ボタン２１ａを押下操作すると、該カード１にプリペイド価値並びに持玉数が関連付けた後に返却される。具体的には、このプリペイド価値及び持玉数がカード１に書き込まれるとともに、カード管理装置４０で管理されるカード情報４０ｅの内容が更新される。また、カード１を受け入れたならば、このカード１のプリペイド価値並びに持玉数をカード管理装置４０から取得し、取得したプリペイド価値並びに持玉数に基づいてパチンコ玉の貸出処理並びに持玉の投出処理を行う。なお、カード１自体にプリペイド価値並びに持玉数を書き込んだ理由は主にオフライン運用を考慮したためであり、通常運用ではカード管理装置４０で管理されるカード情報４０ｅが正として取り扱われる。
【００１８】
また、この台間カード処理機１０は、持玉が存在する状況下で持玉の分割数を入力する持玉分割操作が行われると、該持玉数から分割数を差し引いた値を関連付けた分割元カードを排出した後、分割数を関連付けた分割先カードを排出する。このため、遊技客は、先に排出された分割元カードを再度台間カード処理機１０に挿入して遊技を継続できるとともに、分割先カードを第三者に渡して持玉共有を行うことができる。
【００１９】
ここで、入力された持玉数が適正な値ではなく、分割元カード及び分割先カードに関連付けられる持玉数が所定値（例えば、「１２５玉」）未満となる場合には、持玉の分割処理が実行しない。関連付けられる持玉が極端に少ない分割先カードは、無駄に捨てられる可能性が高いためである。ただし、分割元カードが会員カードである場合には、分割元カード及び分割先カードに関連付けられる持玉数が所定値未満となる場合であっても、持玉の分割処理を実行する。会員の場合は、無駄な分割先カードを発行するケースが少なく、また夜間に持玉が自動的に貯玉移行された場合に、貯玉上限を超える状況を避けるべく少量の持玉分割を行う可能性があるためである。
【００２０】
島コントローラ３０は、遊技島に設けられた一群の遊技機２０及び台間カード処理機１０を束ねる中継装置である。カード管理装置４０は、カード１のプリペイド価値及び持玉数等をカード情報４０ｅとして管理する管理装置である。なお、その詳細な説明は後述するが、かかるカード情報４０ｅには、プリペイド価値及び持玉数だけではなく、分割数、分割元カードＩＤ、分割先カードＩＤからなる分割データが含まれる。
【００２１】
会員管理装置５０は、遊技店に会員登録された会員の会員データを管理する管理装置である。具体的には、会員に対して発行した会員カードＩＤに対応づけて、会員の氏名及び住所等の会員データ並びに貯玉データ等を管理する。なお、本実施例では貯玉の分割処理についての説明を省略するが、持玉分割処理と同様に行うことができる。
【００２２】
島端計数機６０は、遊技島端等に設けられ、遊技客が獲得したパチンコ玉数を計数し、計数値をカード１に関連付けるか、レシートへ印字して発行する。精算機７０は、紙幣挿入部４２に挿入された各種紙幣のプリペイド価値が関連付けられたカード１が挿入されると、このプリペイド価値に相当する現金の払出を行う。景品管理装置８０は、遊技店内の景品交換カウンターに併設された景品交換用の端末装置であり、貯玉及び持玉の景品交換処理を行う。
【００２３】
次に、図１に示した台間カード処理機１０の外観構成について説明する。図３は、図１に示した台間カード処理機１０の外観構成を示す図である。同図には、台間カード処理機１０が併設される遊技機２０が破線で図示されている。また、同図には紙幣のみを受け付ける台間カード処理機１０を図示したが、硬貨受け付け用のユニットを設けることもできる。
【００２４】
図３に示すように、台間カード処理機１０は、台間カード処理機１０の装置の状態を所定色のランプの点灯あるいは点滅で表示する状態表示部１１と、パチンコ玉を貸し出す際の各種紙幣を受け付ける紙幣挿入部１２とを有する。また、台間カード処理機１０は、ディスプレイなどの表示部並びにテンキーや各種ボタンを含む操作部からなる表示操作部１３と、遊技機２０の上皿２１に遊技媒体を供給するノズル１４と、カードＩＤ、プリペイド価値、貯玉データ及び持玉データが記憶されたカード１を受け付けるカードユニット部１５と、携帯端末の識別子であるＩＤｍを読み取る携帯読取部１６とが設けられている。
【００２５】
また、台間カード処理機１０は、遊技客が獲得したパチンコ玉数を持玉数として計数する計数部１７と、獲得玉を貯留する持玉貯留部１８とを有する。遊技機２０の下皿２２から落下した遊技媒体は、持玉貯留部１８を経て計数部１７へと導かれる。この持玉貯留部１８には、持玉数を表示する持玉数表示部１８ａが設けられている。この持玉数表示部１８ａは、７セグメント（７ＳＥＧ）のＬＣＤ等で構成され、後述する台間カード処理機１０の制御部１０ｆにより表示制御される。
【００２６】
なお、遊技機２０には、パチンコ玉を貯留する上皿２１及び該上皿２１の貯留量が増えたパチンコ玉を貯留する下皿２２が設けられている。この上皿２１には、カードを返却するカード返却ボタン２１ａが設けられている。その詳細な説明は後述するが、表示操作部１３から所定のパチンコ玉数を入力してカード返却ボタン２１ａが押下操作されると、持玉分割処理が行われる。
【００２７】
次に、図３に示した台間カード処理機１０のカードユニット部１５について、さらに詳細に説明する。図４は、図３に示したカードユニット部１５の概略図である。同図（ａ）には、カードユニット部１５を前面側（同図のＺ軸の負方向）からみた概略前面図を示し、同図（ｂ）には、カードユニット部１５を側面側（同図のＹＺ平面で切断しＸ軸の正方向）からみた概略側断面図を示している。
【００２８】
同図（ｂ）に示したように、カードユニット部１５は、カード搬送部１５ａと、リーダライタ部１５ｂと、収納部１５ｄとを備えている。また、リーダライタ部１５ｂは、アンテナ部１５ｃを有する。このリーダライタ部１５ｂは、図５に示したＲ／Ｗ部１０ａと同一のものである。なお、カードユニット部１５が取り扱うカードは、ＩＣチップを内蔵するいわゆるＩＣカードであり、あらかじめカードＩＤが記録されるとともに、持玉数、プリペイド価値などのデータが記録されている。そして、持玉数やプリペイド価値は、カード管理装置４０のカード情報４０ｅに記憶される。
【００２９】
カード搬送部１５ａは、遊技店の会員に対して発行される会員カードや一般カードが挿入された場合に、カードを同図のＺ軸の正方向へと搬送する。また、カードを排出する場合には、カードを同図のＺ軸の負方向へと搬送する。
【００３０】
リーダライタ部１５ｂは、カードとのデータ送受信を行うアンテナ部１５ｃを有している。また、リーダライタ部１５ｂは、かかるデータ送受信に際して、カードをアンテナ部１５ｃ上に保持する。したがって、台間カード処理機１０が、カードに関連付けられた持玉数を分割する場合には、かかるリーダライタ部１５ｂの位置までカードを搬送する必要がある。
【００３１】
収納部１５ｄは、遊技店の非会員である一般客に主に利用されるいわゆる一般カードの収納領域である。所定枚数の一般カードが、遊技店の開店前にあらかじめ収納部１５ｄに収納される。また、持玉データが関連付けられた一般カードが挿入口から挿入された場合には、リーダライタ部１５ｂにて持玉データを読み取って関連付けを解消する。関連付けが解消された一般カードは、収納部１５ｄへ収納される。なお、台間カード処理機１０が持玉の分割処理を行う場合には、収納部１５ｄに収納された所定枚数の一般カードのうち、常に最上位に位置する一般カードがリーダライタ部１５ｂの位置に搬送されることになる。
【００３２】
次に、図１に示した台間カード処理機１０及びカード管理装置４０の内部構成について説明する。図５は、図１に示した台間カード処理機１０及びカード管理装置４０の内部構成を示す機能ブロック図である。
【００３３】
同図に示すように、台間カード処理機１０は、Ｒ／Ｗ部１０ａと、通信Ｉ／Ｆ部１０ｂと、記憶部１０ｃと、制御部１０ｆとを有する。この制御部１０ｆには、表示操作部１３、計数部１７及び持玉数表示部１８ａが接続されている。
【００３４】
Ｒ／Ｗ部１０ａは、受け入れたカード１へのデータの読み書きを行う処理部である。具体的には、カード１が挿入された場合には、該カード１のカードＩＤ、プリペイド価値及び持玉数を読み込んで制御部１０ｆに出力する。カード１を返却する場合には、このカード１にプリペイド価値及び持玉数を書き込む処理を行う。なお、カード１にプリペイド価値及び持玉数を書き込む理由は、カード管理装置４０との通信が途絶した状況下でもオフライン運用を可能にするためである。
【００３５】
通信Ｉ／Ｆ部１０ｂは、カード管理装置４０とデータ通信を行うためのインタフェース部である。記憶部１０ｃは、ハードディスク装置や不揮発性メモリ等の記憶デバイスであり、遊技客が保持する持玉を示す持玉数１０ｄと、持玉分割を行う場合の条件となる最小数を意味する最小持玉数１０ｅとを記憶する。
【００３６】
制御部１０ｆは、台間カード処理機１０の全体制御を行う制御部であり、持玉管理部１０ｇ、持玉分割処理部１０ｈ及び払出処理部１０ｉを有する。持玉管理部１０ｇは、記憶部１０ｃに記憶した持玉数１０ｄを用いて遊技客の持玉数を管理する管理部である。具体的には、新たな持玉が計数された場合には計数値を持玉数に加算処理し、持玉の払い出しが行われた場合には払い出し数を持玉数から減算処理する。カード１を返却する場合には、カード管理装置４０に対して持玉数を通知してカード管理装置４０により管理されるカード情報４０ｅの更新指示を行う。
【００３７】
持玉分割処理部１０ｈは、持玉の分割処理を行う処理部である。具体的には、表示操作部１３を介して持玉を分割するため持玉分割操作を受け付けたならば、持玉数１０ｄから分割数を減算した値を関連付けた分割元カードを排出した後、分割数を関連付けた分割先カードを排出する処理を行う。ただし、この持玉分割処理部１０ｈは、持玉分割操作で指定された分割数若しくはこの分割数を持玉数１０ｄから減算した値が最小持玉数（例えば「１２５玉」）未満である場合には、持玉分割処理を行わない。ただし、分割元カードが会員カードである場合には、分割数が最小持玉数未満であっても持玉分割処理を行う。
【００３８】
具体的には、持玉分割処理部１０ｈは、表示操作部１３から分割数の入力を受け付け、かつ、遊技機２０のカード返却ボタン２１ａの押下操作を検知したならば、持玉分割操作がなされたものと判定する。そして、持玉数１０ｄから分割数を減算した値若しくは分割数が、最小持玉数未満であるか否かを判定する。その結果、持玉数１０ｄから分割数を減算した値若しくは分割数のいずれか一方が、最小持玉数未満である場合には、入力値異常を示す「ＮＧ」を表示操作部１３に表示して、持玉分割処理を行わない。これに対して、持玉数１０ｄから分割数を減算した値及び分割数がともに最小持玉数以上である場合には、持玉分割処理を行う。なお、持玉分割処理の詳細な説明については後述する。
【００３９】
払出処理部１０ｉは、持玉払出ボタンが押下操作された場合に、ノズル１４を介して持玉数のうちの所定数（例えば、１２５玉）を遊技機２０の上皿２１に投出するとともに、貸出ボタンが押下操作された場合には、カード１にプリペイド価値があることを条件に所定数の遊技媒体を払い出すよう遊技機２０に指示する処理部である。なお、貯玉の再プレイを行う場合には、ノズル１４を介して貯玉数のうちの所定数（例えば、１２５玉）を遊技機２０の上皿２１に投出することになる。
【００４０】
次に、カード管理装置４０は、入力部４０ａと、表示部４０ｂと、通信Ｉ／Ｆ部４０ｃと、記憶部４０ｄと、制御部４０ｆとを有する。入力部４０ａは、キーボードやマウス等の入力デバイスであり、表示部４０ｂは、液晶パネルやディスプレイ装置等の表示デバイスである。通信Ｉ／Ｆ部４０ｃは、台間カード処理機１０とデータ通信するためのインタフェース部であり、記憶部４０ｄは、ハードディスク装置や不揮発性メモリ等の記憶デバイスである。
【００４１】
図６に示すように、この記憶部４０ｄには、カードＩＤ、プリペイド価値、持玉数及び分割データが対応づけられたカード情報４０ｅが記憶されている。図６は、カードＩＤ「００１」の持玉数「１５００玉」のうちの「５００玉」がカードＩＤ「００２」に持玉分割され、カードＩＤ「００１」の持玉数が「１０００玉」となり、カードＩＤ「００２」の持玉数が「５００玉」となった状況を示している。かかる持玉分割が実行されると、図６に示すように、プリペイド価値「０円」、持玉数「１５００玉」、分割数「５００玉」、分割先カードＩＤ「００２」がカードＩＤ「００１」に対応づけられ、プリペイド価値「０円」、持玉数「５００玉」、分割元カードＩＤ「００１」がカードＩＤ「００２」に対応づけられることになる。
【００４２】
制御部４０ｆは、カード管理装置４０を全体制御する制御部であり、カード情報管理部４０ｇを有する。カード情報管理部４０ｇは、記憶部４０ｄに記憶したカード情報４０ｅを用いて各カードの持玉数やプリペイド価値を管理する。
【００４３】
次に、図５に示した台間カード処理機１０及びカード管理装置４０によるカード挿入時の処理手順について説明する。図７は、図５に示した台間カード処理機１０及びカード管理装置４０によるカード挿入時の処理手順を示すフローチャートである。ここでは、説明の便宜上、カード１に持玉が関連付けられているものとする。
【００４４】
図７に示すように、台間カード処理機１０は、当初カード１の受付待ち状態にあり（ステップＳ１０１；Ｎｏ）、カード１を受け付けたならば（ステップＳ１０１；Ｙｅｓ）、Ｒ／Ｗ部１０ａによりカードＩＤを読み取り（ステップＳ１０２）、このカードＩＤを含む持玉数の問合せ信号をカード管理装置４０に対して送信する（ステップＳ１０３）。
【００４５】
カード管理装置４０は、持玉数の問合せ信号を受信したならば（ステップＳ１０４；Ｙｅｓ）、カード情報４０ｅをカードＩＤで検索して持玉数を抽出し（ステップＳ１０５）、抽出した持玉数を台間カード処理機１０に送信した後（ステップＳ１０６）、カード情報４０ｅのカードＩＤに対応する持玉数を「０玉」にクリアする（ステップＳ１０７）。台間カード処理機１０が、持玉数を受信したならば（ステップＳ１０８；Ｙｅｓ）、受信した持玉数を記憶部１０ｃに記憶し（ステップＳ１０９）、この持玉数を持玉数表示部１８ａに表示する（ステップＳ１１０）。上記一連の処理を行うことにより、カードに関連付けられた持玉数１０ｄが台間カード処理機１０に記憶されることになる。
【００４６】
このように、通常時は、カードに記録された持玉数ではなく、カード管理装置４０に記憶された持玉数を正として利用するとともに、カードが台間カード処理機１０に挿入されたならば、この台間カード処理機１０に持玉数を移管することになる。そして、カードが返却される場合に、台間カード処理機１０内の持玉数がカード管理装置４０に移管され、カード情報４０ｅが更新される。
【００４７】
次に、図５に示した台間カード処理機１０による持玉分割処理時の処理手順について説明する。図８は、図５に示した台間カード処理機１０による持玉分割処理時の処理手順を示すフローチャートである。ここでは説明の便宜上、図７に示した処理若しくは遊技客による遊技により、台間カード処理機１０の記憶部１０ｃに持玉数１０ｄが記憶されていることとする。
【００４８】
図８に示すように、台間カード処理機１０は、持玉分割操作を受け付け待ちの状態にあり（ステップＳ２０１；Ｎｏ）、持玉分割操作を受け付けたならば（ステップＳ２０１；Ｙｅｓ）、持玉分割処理を行う。図９は、持玉分割操作の一例を説明するための説明図である。遊技客が持玉数から「５００玉」を分割したい場合には、まず図９（ａ）に示すように表示操作部１３のテンキーで「５」を入力する。これにより、表示操作部１３のＬＣＤには「５」が表示される。
【００４９】
遊技客が、図９（ｂ）に示すように表示操作部１３のテンキーで「０」を引き続き入力すると、表示操作部１３のＬＣＤには「５０」が表示され、図９（ｃ）に示すように表示操作部１３のテンキーで「０」を引き続き入力すると、表示操作部１３のＬＣＤには「５００」が表示される。これにより、分割数「５００玉」の指定が完了する。このとき、現持玉数より大きな数値も入力できないものとする。その後、遊技客は、図９（ｄ）に示すように遊技機２０の上皿２１に設けられたカード返却ボタン２１ａを押下操作することで、分割数「５００玉」の持玉分割操作が完了する。
【００５０】
かかる持玉分割操作が行われると、現持玉数１０ｄ（Ａ）と分割数（Ｂ）から分割後の分割元カードの持玉数（Ｃ）が「Ｃ＝Ａ−Ｂ」の算定式により算定される（ステップＳ２０２）。そして、分割後の分割元カードの持玉数（Ｃ）又は分割数（Ｂ）の少なくともいずれか一方が最小持玉数未満であるか否かが判定される（ステップＳ２０３〜Ｓ２０４）。
【００５１】
その結果、少なくともいずれか一方が最小持玉数未満である場合には（ステップＳ２０３；Ｎｏ又はステップＳ２０４；Ｎｏ）、表示操作部１３のＬＣＤに入力値エラーを示す「ＮＧ」を表示して処理を終了する。
【００５２】
これに対して、分割後の分割元カードの持玉数（Ｃ）及び分割数（Ｂ）がともに最小持玉数以上である場合には（ステップＳ２０４Ｙｅｓ）、持玉数（Ｃ）を関連付けた分割元カードを排出する（ステップＳ２０６）。具体的には、持玉数（Ｃ）をカード管理装置４０に送信してカード情報４０ｅの書き換え指示を行い、カード情報４０ｅの書き換え完了後に持玉数（Ｃ）をカード１に記録し、記録完了後にカード１を排出することになる。
【００５３】
その後、分割元カードの排出処理と同様の処理を行って、分割数（Ｃ）を関連付けた分割先カードを排出する（ステップＳ２０７）。なお、カードユニット部１５に収納されたカード枚数が所定値未満となった場合には（ステップＳ２０８；Ｎｏ）、表示操作部１３のＬＣＤにカード枚数不足「ＮＯ  ＣＡＲＤ」を表示して（ステップＳ２０９）、遊技客にカード不足を通知する。これにより、遊技客は遊技店の店員を呼んで、カードの補充を行わせる。なお、かかるカード不足となった場合には、台間カード処理機１０の状態表示部１１を例えば赤色点滅させることで、店員にカード不足を報知することもできる。
【００５４】
上記一連の処理により、分割元カード及び分割先カードの順でカードが排出処理されることになるので、遊技客は、分割元カードを台間カード処理機１０に挿入して遊技を継続するとともに、分割先カードを第三者に渡して持玉を効率良く譲渡することができる。なお、分割元カードが会員カードである場合には、分割後の分割元カードの持玉数（Ｃ）又は分割数（Ｂ）の少なくともいずれか一方が最小持玉数未満であるであっても、分割処理を行うよう構成することもできる。会員の場合は、予め氏名や住所が登録されていることから、いたずら等で無駄な持玉分割処理を行う可能性が低いためである。
【００５５】
上述してきたように、本実施例１では、分割元カードに関連付けられた持玉数のうち分割先カードに関連付ける分割数を表示操作部１３上の操作で受け付けたならば、持玉分割処理部１０ｈが、この分割数を持玉数１０ｄから減算した値を関連付けた分割元カードを排出した後、分割数を関連付けた分割先カードを排出して、分割元カードに関連付けられた持玉数１０ｄの分割処理を行うよう構成したので、持玉数１０ｄの一部を他の遊技客に譲渡して持玉共有を行う場合に、持玉数１０ｄの一部を効率良く第三者に譲り渡すことができる。
【００５６】
この際、分割元カード又は分割先カードに関連付け可能な最小持玉数を記憶しておき、分割数若しくは該分割数を持玉数１０ｄから減算した値のいずれか一方が最小持玉数未満である場合には、持玉分割処理を行なわないよう構成したので、遊技客が不必要な遊技媒体数の分割処理を行って、無駄な記録媒体の発行を抑止することができる。
【００５７】
また、分割数若しくは該分割数を持玉数１０ｄから減算した値のいずれか一方が最小持玉数未満である場合に、分割数の異常を示す「ＮＧ」を表示するよう構成したので、遊技客が分割数を誤って入力した場合に入力値異常を遊技客に報知して、遊技客に分割数の再入力を促すことができる。
【００５８】
なお、上記実施例１では、分割数若しくは該分割数を持玉数１０ｄから減算した値のいずれか一方が最小持玉数未満である場合に、持玉分割処理を行わない場合を示したが、本発明はこれに限定されるものではなく、カードに関連付けるプリペイド価値と持玉数がともに「０」となる場合に、持玉分割処理を行わないよう構成することもできる。このようにすることで、意味のない分割先カードを発行することを防止することができる。
【実施例２】
【００５９】
ところで、上記実施例１では、持玉分割処理を行う場合を示したが、例えば遊技客が第三者に持玉を譲渡しようとしたが状況が変わった場合や分割数の入力を誤った場合は、分割処理した持玉を元に戻すことが望まれる。このため、本実施例２では、一度持玉分割処理したものを合算処理する場合を示すこととする。なお、本実施例２に係るシステム構成等については、実施例１のものと同様となるので、ここではその説明を省略する。
【００６０】
図１０は、本実施例２に係る台間カード処理機１００及びカード管理装置１１０の内部構成を示す機能ブロック図である。なお、図５に示したものと同様の機能部については同一符号を付すこととしてその詳細な説明を省略する。図１０に示すように、この台間カード処理機１００には、図５に示した構成にタイマ１０１及び持玉合算処理部１０２が追加されている。タイマ１０１は、計時開始指示を受けてから現時刻までの経過時間を計時する計時装置である。
【００６１】
持玉合算処理部１０２は、上記実施例１により分割元カードと分割先カードに持玉分割処理された持玉を合算処理する処理部である。この持玉合算処理部１０２は、持玉の合算処理を無条件で行うわけではなく、分割処理を終えた時点から所定時間（例えば「３０秒」）内に限って合算処理を認めている。また、特別な持玉合算操作を必要とするものではなく、分割元カードと分割先カードをカードユニット部１５に挿入すると、持玉の合算処理を実行するものである。
【００６２】
また、カード管理装置１１０には、図５に示した構成に合算可否判定部１１１が追加されている。この合算可否判定部１１１は、台間カード処理機１００から合算可否の問合せ信号を受信した場合に、カード情報４０ｅに含まれる分割データを参照して合算可否を判定する処理部である。例えば、図６に示した分割元カードＩＤ「００１」の分割数「５００」と分割先カードＩＤ「００２」の持玉数が一致し、分割先カードＩＤ「００２」の分割データに分割元カードＩＤ「００１」が存在し、分割元カードＩＤ「００１」の分割データに分割先カードＩＤ「００２」が存在する場合には、合算可能であると判定される。なお、分割数と持玉数が一致しない場合や、分割データに含まれる分割元カードＩＤ又は分割先カードＩＤが不一致である場合には、合算不可であると判定される。
【００６３】
図１１は、図１０に示した台間カード処理機１００及びカード管理装置１１０による持玉合算処理時の処理手順を示すフローチャートである。なお、ここでは説明の便宜上、持玉分割処理を終えた時点でタイマ１０１による計時が開始されているものとする。また、図７に示す手順で１枚目のカードの持玉数が台間カード処理機１００に移管されているものとする。
【００６４】
同図に示すように、台間カード処理機１０が、２枚目のカードを受け付けたならば（ステップＳ３０１；Ｙｅｓ）、２枚目のカードを受け付けた時点でのタイマ１０１による計時時間が所定の時間（例えば、「３０秒」）以内であるか否かを確認し（ステップＳ３０２）、所定の時間を超えている場合には（ステップＳ３０２；Ｎｏ）、２枚目のカードを排出して（ステップＳ３０３）、処理を終了する。なお、この場合の１枚目のカードについては、カードユニット部１５内に取り込まれ、図７に示した処理が行われる。
【００６５】
これに対して、所定の時間内であれば（ステップＳ３０２；Ｙｅｓ）、カード管理装置１１０に対して合算可否の問合せ信号を送信する（ステップＳ３０４）。この問合せ信号には、カードユニット部１５が受け付けた２枚のカードのカードＩＤが含まれる。
【００６６】
カード管理装置１１０は、かかる合算可否の問合せ信号を受信したならば（ステップＳ３０５；Ｙｅｓ）、分割元カードＩＤと分割先カードＩＤをチェックして合算可否を判定する（ステップＳ３０６）。その結果、合算不可であると判定された場合には（ステップＳ３０７；Ｎｏ）、合算不可データを台間カード処理機１００に送信して処理を終了する。
【００６７】
一方、合算可能であると判定された場合には（ステップＳ３０７；Ｙｅｓ）、分割先カードＩＤの持玉数をカード情報４０ｅから取得して台間カード処理機１００に送信し（ステップＳ３０９）、カード情報４０ｅの分割先カードＩＤの持玉数を「０玉」にクリアした後（ステップＳ３１０）、処理を終了する。
【００６８】
台間カード処理機１００は、合算不可データを受信したならば（ステップＳ３１１；Ｙｅｓ）、表示操作部１３のＬＣＤに「合算不可」を表示するとともに（ステップＳ３１２）、２枚目のカードを排出して（ステップＳ３１３）、処理を終了する。一方、持玉数を受信した場合には（ステップＳ３１４；Ｙｅｓ）、受信した持玉数を記憶部１０ｃに記憶した持玉数１０ｄに加算し（ステップＳ３１５）、加算した持玉数を表示操作部１３のＬＣＤに表示して（ステップＳ３１６）、合算処理を終了する。
【００６９】
上述してきたように、本実施例２では、持玉分割処理を終えた時点から所定時間内であり、かつ、２枚のカード（分割元カード及び分割先カード）を受け入れて合算可能であると判定された場合には、特別な持玉合算操作なしに分割した持玉を合算処理することができる。
【００７０】
なお、本実施例２では、説明の便宜上カード管理装置１１０の合算可否判定部１１１で合算可否の判定処理を行うこととしたが、本発明はこれに限定されるものではなく、台間カード処理機１００側で合算可否の判定処理を行うこともできる。具体的には、カード情報４０ｅ内の分割データをカード管理装置１１０から台間カード処理機１００に通知すれば、台間カード処理機１００にて合算可否を判定できる。
【００７１】
また、上記実施例１及び２では、台間カード処理機にカードを挿入した場合に、カード管理装置で管理される持玉数を台間カード処理機１０に移行してカード管理装置が管理する持玉数をクリアすることとしたが、本発明はこれに限定されるものではなく、台間カード処理機とカード管理装置の双方で持玉数を管理する場合や、カード管理装置のみで持玉数を管理する場合に適用することもできる。
【００７２】
また、上記実施例１及び２では、持玉を分割処理及び合算処理する場合を示したが、本発明はこれに限定されるものではなく、貯玉等を分割処理及び合算処理する場合に適用することもできる。さらに、上記実施例１及び２では、台間カード処理機からノズルを介して持玉を払い出す場合を示したが、本発明はこれに限定されるものではなく、台間カード処理機から遊技機に対して払出指示を行い、遊技機の内部からパチンコ玉を払い出す場合に適用することもできる。
【００７３】
また、上記実施例１及び２では、カード管理装置と会員管理装置を別装置とした場合を示したが、本発明はこれに限定されるものではなく、カード管理装置と会員管理装置を一体化した場合に適用することもできる。
【００７４】
また、上記実施例１及び２では、台間カード処理機１０で分割処理を行う場合を示したが、機能の一部を島コントローラ３０やカード管理装置４０に持たせて、システムとして同様の機能を達成するようにしても良い。具体的には、分割指示入力やカード排出の制御の機能は、台間カード処理機１０が持つことになるが、持玉の分割処理そのものは、管理装置側で行うようにしても良い。なお、機能の一部を島コントローラ３０やカード管理装置４０以外の機器に持たせることもできる。
【００７５】
また、いわゆるダブルサンドと呼ばれる台間カード処理機（ＣＲユニット）と各台計数機が分離されたものの場合は、計数機能や持玉分割機能を、貸出機能を持つ台間カード処理機（ＣＲユニット）とは別体の装置に持たせても良い。
【産業上の利用可能性】
【００７６】
以上のように、本発明に係る各台装置は、持玉数や貯玉数のような遊技媒体の一部を他の遊技客に譲渡して遊技媒体を共有する場合に適している。
【符号の説明】
【００７７】
１    カード
１０    台間カード処理機
１０ａ  Ｒ／Ｗ部
１０ｂ  通信Ｉ／Ｆ部
１０ｃ  記憶部
１０ｄ  持玉数
１０ｅ  最小持玉数
１０ｆ  制御部
１０ｇ  持玉管理部
１０ｈ  持玉分割処理部
１０ｉ  払出処理部
１１    状態表示部
１２    紙幣挿入部
１３    表示操作部
１４    ノズル
１５    カードユニット部
１５ａ  カード搬送部
１５ｂ  リーダライタ部
１５ｃ  アンテナ部
１５ｄ  収納部
１６    携帯読取部
１７    計数部
１８    持玉貯留部
１８ａ  持玉数表示部
２０    遊技機
２１    上皿
２１ａ  カード返却ボタン
２２    下皿
３０    島コントローラ
４０    カード管理装置
４０ａ  入力部
４０ｂ  表示部
４０ｃ  通信Ｉ／Ｆ部
４０ｄ  記憶部
４０ｅ  カード情報
４０ｆ  制御部
４０ｇ  カード情報管理部
５０    会員管理装置
６０    島端計数機
７０    精算機
８０    景品管理装置
９０    通信回線
１００    台間カード処理機
１０１    タイマ
１０２    持玉合算処理部
１１０    カード管理装置
１１１    合算可否判定部
【図１】
0006440275.tif 000002
【図２】
0006440275.tif 000003
【図３】
0006440275.tif 000004
【図４】
0006440275.tif 000005
【図５】
0006440275.tif 000006
【図６】
0006440275.tif 000007
【図７】
0006440275.tif 000008
【図８】
0006440275.tif 000009
【図９】
0006440275.tif 000010
【図１０】
0006440275.tif 000011
【図１１】
0006440275.tif 000012